(57)【要約】【課題】睡眠中に呼吸が停止するような状態を確実に検出して、検出した結果を利用者の呼吸回復のための刺激に利用できるエアバッグ付マットを提供すること。【解決手段】エアバッグ付マット１は、マット本体２と、前記マット本体２の利用時における利用者の胸位置に対応させられ且つ前記マット本体２の幅方向両端に向けて延設して装着されたエアバッグ（３，１３）と、前記エアバッグ（３，１３）内の圧力を検出して圧力検出信号を出力する圧力検出手段（圧力センサ１１）と、前記圧力検出信号を受けてその圧力変化から前記利用者の呼吸の変化を求める演算制御手段（演算制御回路７）を有する。【選択図】  図１
2006095179.tif 000002
【特許請求の範囲】
【請求項１】
マット本体と、
前記マット本体の利用時における利用者の胸位置に対応させられ且つ前記マット本体の幅方向両端に向けて延設して装着されたエアバッグと、
前記エアバッグ内の圧力を検出して圧力検出信号を出力する圧力検出手段と、
前記圧力検出信号を受けてその圧力変化から前記利用者の呼吸の変化を求める演算制御手段を有することを特徴とするエアバッグ付マット。
【請求項２】
前記エアバッグは前記マット本体の幅方向に複数配列されていることを特徴とする請求項１に記載のエアバッグ付マット。
【請求項３】
前記複数のエアバッグは通路を介して直列に連通接続させられていることを特徴とする請求項２に記載のエアバッグ付マット。
【請求項４】
作動させられたときに前記使用者に刺激を与える刺激付与手段が設けられていると共に、前記演算制御手段は前記圧力検出手段から出力された前記圧力検出信号を基に所定時間以上呼吸の変化がないと判断したときに前記刺激付与手段を作動させることを特徴とする請求項１〜３のいずれか一つに記載のエアバッグ付マット。
【請求項５】
前記刺激付与手段は前記エアバッグであり、前記エアバッグに対してエアを給排気するエア給排気手段が設けられていると共に、前記演算制御手段は前記圧力検出手段から出力された前記圧力検出信号を基に所定時間以上呼吸の変化がないと判断したときに前記エア給排気手段を作動制御して少なくとも前記エアバッグを膨張させることを特徴とする請求項４に記載のエアバッグ付マット。
【請求項６】
前記エアバッグはマッサージ用のエアバッグを兼用していることを特徴とする請求項１〜５のいずれか一つに記載のエアバッグ付マット。
【発明の詳細な説明】
【技術分野】
【０００１】
この発明は、利用者の呼吸を検出可能なエアバッグ付マットに関するものである。
【背景技術】
【０００２】
従来、マット本体の人体当接面に複数のエアバッグを装着して、エアバッグを膨張・収縮させることにより、利用者の身体をマッサージするマット式エアマッサージ装置が知られている。
【０００３】
一方、エアマッサージ装置には、エアバッグにより呼吸数、脈拍数、血圧等の生体情報を検出するようにした椅子式エアマッサージ装置が知られている（例えば、特許文献１参照）。
【０００４】
この椅子式エアマッサージ装置では、エア・マッサージ機のエア・バッグにより呼吸数、脈拍数、血圧等の生体情報を検出し、該検出結果をマッサージ動作にフィードバックさせるようにしている。この構成をマット式エアマッサージ装置に適用することもできる。
【０００５】
しかし、椅子式エアマッサージ装置では生態情報を検出してもマッサージ動作以外に利用することは考えていないものであったので、この生態情報を検出してマッサージ動作にフィードバックさせる構成をマット式エアマッサージ装置に用いても、検出した生態情報をマッサージ動作以外に利用することは考えられないものであった。
【特許文献１】特開２００３−２２５２６８号公報
【発明の開示】
【発明が解決しようとする課題】
【０００６】
ところで、睡眠中（就寝時）に気道（鼻や喉）が何らかの理由で塞がってしまい、呼吸ができず窒息状態となる睡眠時無呼吸症候群（Sleep Apnea Syndrome：SAS）が知られている。その症状としては、通常大きないびきが10秒以上あり、場合によって1分以上呼吸が消失した後に再度激しいいびきが出現して、その繰り返しとなる。そして、ひどくなると完全に呼吸が止まってしまう事もある。
【０００７】
しかし、上述した椅子式エアマッサージ装置では、装置がマッサージ動作中に利用者の生態情報を検出するようにしているものであるため、睡眠中に呼吸が停止するような状態を検出できないものであった。
【０００８】
そこで、この発明は、睡眠中に呼吸が停止するような状態を確実に検出して、検出した結果を利用者の呼吸回復のための刺激に利用できるエアバッグ付マットを提供することを目的とするものである。
【課題を解決するための手段】
【０００９】
この目的を達成するため、請求項１の発明は、マット本体と、前記マット本体の利用時における利用者の胸位置に対応させられ且つ前記マット本体の幅方向両端に向けて延設して装着されたエアバッグと、前記エアバッグ内の圧力を検出して圧力検出信号を出力する圧力検出手段と、前記圧力検出信号を受けてその圧力変化から前記利用者の呼吸の変化を求める演算制御手段を有するエアバッグ付マットとしたことを特徴とする。
【発明の効果】
【００１０】
この構成によれば、エアバッグは利用者の胸位置に対応してマット本体の幅方向の略全範囲に装着されていて、睡眠中に利用者が寝返りをしても利用者の呼吸の状態をマット本体の幅方向の何れの部分でも検出できるようになっているので、睡眠中に呼吸が停止するような状態をエアバッグ内の圧力変化から確実に検出して、検出した結果を利用者の呼吸回復のための刺激に利用できる。
【発明を実施するための最良の形態】
【００１１】
以下、この発明の実施の形態を図面に基づいて説明する。
【００１２】
図１において、１は寝具としてのエアバッグ付マットである。このエアバッグ付マット１は、長方形状のマット本体２と、このマット本体２の人体当接面２ａ上に配設された複数（図１では５個）のエアバッグ３を有する。このエアバッグ３は、利用者の呼吸に伴う圧力変化を検出するのに用いられると共に、利用者に刺激を付与する刺激付与手段として用いられる。
【００１３】
この複数のエアバッグ３は、利用時における利用者の胸位置に対応させてマット本体２に取り付けられている。また、複数のエアバッグ３は、マット本体２の幅方向の略全範囲に亘って等ピッチで直線的に配列されている。
【００１４】
各エアバッグ３は、図３，図４に示したように、ブロー成形により中空で略扁平形状に形成されている。しかも、エアバッグ３の上壁３ａには、二重の環状膨出突部３ｂ，３ｃ及び中央の膨出突部３ｄが形成されている。
【００１５】
また、各エアバッグ３は、図３〜図５に示したようにホース４で互いに接続されている。これにより、隣接するエアバッグ３，３内の空間５，５は、これらの間に配設されたホース４内の細い通路４ａを介して互いに連通している。
【００１６】
更に、複数のエアバッグ３は、エア給排気装置（エア給排気手段）６により膨張・収縮させられるようになっている。このエア給排気装置６は、演算制御回路（演算制御手段）７と、この演算制御回路７により作動制御されるエアポンプ（エア供給源）８と、エアポンプ８の吐出側に接続されたエア給排気切替手段９を有する。
【００１７】
このエア給排気手段９には周知のロータリバルブや電磁弁等が用いられていて、エア給排気手段９は演算制御回路７により作動制御されるようになっている。また、このエア給排気手段９には、上述した各エアバッグ３がエアホース１０を介してそれぞれ接続されている。
【００１８】
そして、複数のエアバッグ３のうち中央のエアバッグ３に接続されたエアホース１０には圧力センサ１１が接続されている。この圧力センサ１１はバンドパスフィルタ１２を介して演算制御回路７に接続されている。このバンドパスフィルタ１２は、圧力変化検出信号からノイズを除去して呼吸成分の信号を取り出して、この取り出した呼吸成分の信号のみを演算制御回路７に入力するようになっている。
【００１９】
次に、このような構成のエアバッグ付マット１の作用を説明する。
【００２０】
利用者が睡眠する際には、複数のエアバッグ３上に胸が対応するようにして寝ると共に、図示しない電源をＯＮさせて演算制御回路７を作動させる。
【００２１】
この際、複数の各エアバッグ３内の空間５はホース４の通路４ａを介して互いに連通しているので、利用者の呼吸に伴って複数のエアバッグ３のうちのいずれかの圧力が変化すると、この圧力変化は全てのエアバッグ３に伝わることになる。そして、この圧力変化は中央のエアバッグ３に接続されたエアホース１０の圧力センサ１１で検出され、圧力センサ１１は圧力検出信号を出力する。
【００２２】
この圧力センサ１１は圧力変化検出信号をバンドパスフィルタ１２に入力する。このバンドパスフィルタ１２は、圧力変化検出信号からノイズを除去して呼吸成分の信号を取り出して、この取り出した呼吸成分の信号のみを演算制御回路７に入力する。
【００２３】
ところで、利用者に睡眠時無呼吸症候群がある場合において例えば1分（所定時間）以上呼吸が消失した場合、利用者の呼吸が完全に止まってしまっていることも考えられる。
【００２４】
従って、このような場合に演算制御回路７は、利用者の呼吸が止まっていると判断して、エアポンプ８を作動させると共にエア給排気切替手段９を作動制御して、エアポンプ８から吐出されるエアをエア給排気切替手段９及び複数のエアホース１０を介して複数のエアバッグ３に供給し、各エアバッグ３を膨張させ、エアバッグ３で利用者の身体に刺激を与え、利用者の呼吸の回復を促す。
【００２５】
また、演算制御回路７は、エアバッグ３の１回の膨張のみでは利用者の呼吸が直ちに回復しない場合に、エア給排気切替手段９を作動制御して、エアバッグ３に対しエアの給排気を行って、エアバッグ３を膨張・収縮させ、利用者の身体に与える刺激を変化させ、利用者の呼吸を更に強く促すようにする。
（変形例１）
上述した実施例では、利用者の呼吸が所定時間以上検出されなかった場合に、エアバッグ３を膨張または膨張・収縮させて、利用者の身体にエアバッグ３により刺激を与え、利用者の呼吸の回復を促すようにしたが、必ずしもこれに限定されるものではない。
【００２６】
例えば、利用者の呼吸が所定時間以上検出されなかった場合に、この状態をスピーカー等で直接利用者に音で知らせても良いし第３者に知らせるようにしても良い。また、利用者の呼吸が所定時間以上検出されなかった場合に、電気マッサージ器等のマッサージ手段により、利用者に電気的な刺激を与えて、利用者の呼吸の回復を促すようにすることもできる。
（変形例２）
以上説明した実施例では、複数のエアバッグ３と圧力センサ１１で利用者の呼吸を検出するようにしたが、必ずしもこれに限定されるものではない。例えば、図６に示したように一つの細長いエアバッグ１３と圧力センサ１１で利用者の呼吸を検出して、演算制御回路７によりエアバッグ１３を上述したエアバッグ３と同様な膨張・収縮制御を行うようにしても良い。この場合にも、エアバッグ１３はマット本体２の略幅方向全体に延びている。
（変形例３）
更に、上述した実施例では、寝具として用いるエアバッグ付マット１の複数のエアバッグ３と圧力センサ１１で利用者の呼吸を検出するようにしたが、必ずしもこれに限定されるものではない。例えば、複数のエアバッグ３と圧力センサ１１で利用者の呼吸を検出する構成を、マット式エアマッサージ装置に適用しても良い。図７は、この例を示したもので、上述したエアバッグ付マット１のマット本体２に首肩用エアバッグ１４，中背用エアバッグ１５，腰用エアバッグ１６，大腿用エアバッグ１７等を設けたものである。
【００２７】
そして、これらのエアバッグ１４〜１７は、図９の演算制御回路７によりエアポンプ８及びエア給排気切替手段９を作動制御して、エアポンプ８からのエアをエア給排気切替手段９を介して給排気することにより、膨張・収縮制御されて、マッサージを行うことができるようになっている。また、エアバッグ３も、利用者の上背中のマッサージに利用することができる。
【００２８】
尚、上述した図１〜図５に示した実施例と同一部分には図１〜図５に付した符号と同一の符号を付してその説明は省略する。
【００２９】
以上説明したように、この発明の実施の形態のエアバッグ付マット１は、マット本体２と、前記マット本体２の利用時における利用者の胸位置に対応させられ且つ前記マット本体２の幅方向両端に向けて延設して装着されたエアバッグ（３，１３）と、前記エアバッグ（３，１３）内の圧力を検出して圧力検出信号を出力する圧力検出手段（圧力センサ１１）と、前記圧力検出信号を受けてその圧力変化から前記利用者の呼吸の変化を求める演算制御手段（演算制御回路７）を有する。
【００３０】
この構成によれば、エアバッグ（３，１３）は利用者の胸位置に対応してマット本体２の幅方向の略全範囲に装着されていて、睡眠中に利用者が寝返りをしても利用者の呼吸の状態をマット本体２の幅方向の何れの部分でも検出できるようになっているので、睡眠中に呼吸が停止するような状態をエアバッグ（３，１３）内の圧力変化から確実に検出して、検出した結果を利用者の呼吸回復のための刺激に利用できる。
【００３１】
また、この発明の実施の形態のエアバッグ付マット１において、前記エアバッグ（３）は前記マット本体の幅方向に複数配列されている。
【００３２】
この構成によれば、圧力検出に用いるエアバッグ（３）を小さくして複数用いるようにしているので、利用者の呼吸の検出精度を上げることができる。
【００３３】
更に、この発明の実施の形態のエアバッグ付マット１において、前記複数のエアバッグ（３）は通路４ａを介して直列に連通接続させられている。
【００３４】
この構成によれば、一つの圧力センサ１１で利用者の呼吸を検出することができるので、部品点数を少なくできる。
【００３５】
また、この発明の実施の形態のエアバッグ付マット１は、作動させられたときに前記使用者に刺激を与える刺激付与手段（３，１３）が設けられていると共に、前記演算制御手段（演算制御回路７）は前記圧力検出手段（３，１３）から出力された前記圧力検出信号を基に所定時間以上呼吸の変化がないと判断したときに前記刺激付与手段（３，１３）を作動させるようになっている。
【００３６】
この構成によれば、エアバッグ（３，１３）は利用者の胸位置に対応してマット本体２の幅方向の略全範囲に装着されていて、睡眠中に利用者が寝返りをしても利用者の呼吸の状態をマット本体２の幅方向の何れの部分でも検出できるようになっているので、睡眠中に呼吸が停止するような状態をエアバッグ（３，１３）内の圧力変化から確実に検出して、刺激付与手段（３，１３）を作動させることにより、刺激付与手段（３，１３）で利用者に呼吸回復のための刺激を与えることができる。
【００３７】
また、この発明の実施の形態のエアバッグ付マット１において前記刺激付与手段は前記エアバッグ（３，１３）であり、前記エアバッグ（３，１３）に対してエアを給排気するエア給排気手段（エア給排気装置６）が設けられていると共に、前記演算制御手段（演算制御回路７）は前記圧力検出手段（圧力センサ１１）から出力された前記圧力検出信号を基に所定時間以上呼吸の変化がないと判断したときに前記エア給排気手段（エア給排気装置６）を作動制御して少なくとも前記エアバッグ（３，１３）を膨張させるようになっている。
【００３８】
この構成によれば、睡眠中に呼吸が停止するような状態をエアバッグ（３，１３）内の圧力変化から確実に検出して、エアバッグ（３，１３）を作動させることにより、エアバッグ（３，１３）を膨張または膨張・収縮させて、利用者に呼吸回復のための刺激を与えることができる。
【００３９】
また、この発明の実施の形態のエアバッグ付マット１において、前記エアバッグ（３，１３）はマッサージ用のエアバッグを兼用している。
【００４０】
この構成によれば、呼吸検出用のエアバッグ３を用いて利用者の上背中のマッサージを行うことができる。
【図面の簡単な説明】
【００４１】
【図１】この発明に係るエアバッグ付マットの概略斜視図である。
【図２】図１のエアバッグの呼吸検出回路を示す説明図である。
【図３】図１の腰部拡大平面図である。
【図４】図３のＡ１−Ａ１線に沿う断面図である。
【図５】図４の要部拡大断面図である。
【図６】この発明の変形例を示すエアバッグ付マットの斜視図である。
【図７】この発明の他の変形例を示すエアバッグ付マットの斜視図である。
【図８】図７のエアバッグの呼吸検出回路を示す説明図である。
【符号の説明】
【００４２】
１…エアバッグ付マット
２…マット本体
３…エアバッグ（刺激付与手段）
４…ホース
４ａ…通路
７…演算制御回路（演算制御手段）
１１…圧力センサ（圧力検出手段）
１３…エアバッグ（刺激付与手段）
【図１】
2006095179.tif 000003
【図２】
2006095179.tif 000004
【図３】
2006095179.tif 000005
【図４】
2006095179.tif 000006
【図５】
2006095179.tif 000007
【図６】
2006095179.tif 000008
【図７】
2006095179.tif 000009
【図８】
2006095179.tif 000010